(57)【要約】      （修正有）【課題】携帯電話用の携帯ストラップやキーホルダー等に取り付けられた種々の形状の小物を見栄え良く陳列し、収納できる小物収納ケースを提供する。【解決手段】タグ８ｂ付きの携帯電話用の携帯ストラップ８ａに取り付けられた種々の形状の小物８を収納して陳列する小物収納ケース１は、複数の棚板部９を有するケース本体２と、前面カバーとで構成され、各段の棚板部９には主背面板１５と副背面板１６とが一体形成され、主背面板１５とこれに上から対向する副背面板１６の間に開口部１７が形成され、携帯ストラップ８ａを主背面板１５の上端から開口部１７を挿通して吊り下げた状態で背面側収納空間２１に収納し、小物８が主背面板１５にもたれた状態で縦向き姿勢で棚板部９に載置するので、多数の小物を見栄え良く収納、陳列することができる。【選択図】図９
0003148306.tif 000002
【実用新案登録請求の範囲】
【請求項１】
複数の小物を収納する為の小物収納ケースにおいて、
底面板と左右の側面板と上面板と後面板と小物を載置する為の複数段の棚板部とを有し且つ前面が開放状の本体ケースと、
前記本体ケースの前面を開放可能に覆う透明な前面カバーとを備え、
前記複数の棚板部は、上方の棚板部ほど棚板部の前端及び後端が後方へ後退した段付き状に配設され、
複数の棚板部の後端部と後面板の間には背面側収納空間が形成され、
各棚板部の後端に、上方へ第１所定幅だけ直角に立ち上がる主背面板と、下方へ第２所定幅だけ立ち下がる副背面板とを設け、
前記主背面板の上端と、この主背面板に上方から対向する副背面板の下端との間に、上下幅が零又は小さく且つ所定の前後幅を有するスリット状の開口部を設けた、
ことを特徴とする小物収納ケース。
【請求項２】
前記前面カバーの下端部に、本体ケースの底面板に形成した複数の係合部に夫々係脱可能な複数の係合凸部を設け、前記前面カバーの上端部に、本体ケースの上面板に形成した複数の係合部に夫々係脱可能な複数の係合凸部を設けたことを特徴とする請求項１に記載の小物収納ケース。
【請求項３】
前記副背面板は、下端側へ行くほど後方へ移行するように緩傾斜状に形成されたことを特徴とする請求項１又は２に記載の小物収納ケース。
【請求項４】
前記主背面板の第１所定幅は前記副背面板の第２所定幅よりも大きく設定されたことを特徴とする請求項１〜３の何れかに記載の小物収納ケース。
【請求項５】
前記本体ケースは、前記底面板と左右の側面板と上面板と複数の棚板部と複数の主背面板と複数の副背面板とを一体成形した本体ケース成形体と、この本体ケース成形体の後面に複数のビスにより固定された前記後面板とで構成されたことを特徴とする請求項１〜４の何れかに記載の小物収納ケース。
【考案の詳細な説明】
【技術分野】
【０００１】
本考案は、複数の小物を収納する為の小物収納ケースに関し、特に携帯電話用の携帯ストラップやキーホルダー等に取り付けられた状態の小物を整然と収納できるように構成した小物収納ケースに関するものである。
【０００２】
近年、各地域や各観光名所の土産物店には、人気のマスコットやキャラクタ（人、動物など）を特定の地域や観光名所でのみ販売する限定品として、指先程度の大きさの小物を取り付けた携帯電話用の携帯ストラップやキーホルダー等が販売されている。これらの小物を取り付けた携帯ストラップやキーホルダーが限定品であるため、コレクターによりコレクショングッズとして収集されることが多い。
【０００３】
コレクターの心理としては、各地域や各観光名所限定の小物付き携帯ストラップやキーホルダーを多種類収集し、シリーズ物として見栄え良くケース内に整然と陳列、収納したいという要求があり、そうすることでコレクションの価値を高めることもできる。
【０００４】
例えば、特許文献１には、底面板と左右の側面板と上面板と後面板と小物を収納する為の複数の物品収納室を有し且つ前面が開放状の本体ケースと、本体ケースの前面を覆う透明合成樹脂製の前面カバー板とを備えたコレクションケースが開示されている。複数の物品収納室は、本体ケース内の収納空間において縦仕切り部材と横仕切り部材により形成されている。
【特許文献１】実用新案登録第３１０２２３４号公報
【考案の開示】
【考案が解決しようとする課題】
【０００５】
一般に、上述の収集した小物は、限定品としての価値が下がらないよう、商品名やロゴが記載されたタグ付きの携帯ストラップやキーホルダーに取り付けられままの購入時の状態でケースに収納、保管されることが多い。
【０００６】
特許文献１のコレクションケースにおいては、１つの物品収納室に小物付きの携帯ストラップやキーホルダーが複数個載置される場合、物品収納室の後面が後面板で塞がれているため、携帯ストラップ、キーホルダーやタグが付いた小物の形態で収納することになるため、整然と収納、陳列することができないこと、小物自体の存在感が希薄になること、等の問題がある。しかも、底面が丸みを帯びた形状の小物等の場合、物品収納室に直立の姿勢で収納できないため、横向きに倒した状態で収納することになるため、見栄えが悪くなる。
【０００７】
本考案の目的は、携帯電話用の携帯ストラップやキーホルダー等に取り付けられた種々の形状の小物を見栄え良く収納、陳列できる小物収納ケースを提供することである。
【課題を解決するための手段】
【０００８】
請求項１の小物収納ケースは、複数の小物を収納する為の小物収納ケースにおいて、底面板と左右の側面板と上面板と後面板と小物を載置する為の複数段の棚板部とを有し且つ前面が開放状の本体ケースと、本体ケースの前面を開放可能に覆う透明な前面カバーとを備え、複数の棚板部は、上方の棚板部ほど棚板部の前端及び後端が後方へ後退した段付き状に配設され、複数の棚板部と後面板の間には背面側収納空間が形成され、各棚板部の後端に、上方へ第１所定幅だけ直角に立ち上がる主背面板と、下方へ第２所定幅だけ立ち下がる副背面板とを設け、主背面板の上端と、この主背面板に上方から対向する副背面板の下端との間に、上下幅が零又は小さく且つ所定の前後幅を有するスリット状の開口部を設けたことを特徴としている。
【０００９】
この小物収納ケースに小物付き携帯電話用の携帯ストラップを収納する場合、携帯ストラップが、主背面板の上端と副背面板の下端の間の開口部から背面側収納空間に吊り下げられた状態で収納され、小物を棚板部上に、必要に応じて主背面板にもたれた状態で、直立の姿勢に載置される。
【００１０】
請求項２の小物収納ケースは、請求項１の考案において、前面カバーの下端部に、本体ケースの底面板に形成した複数の係合部に夫々係脱可能な複数の係合凸部を設け、前面カバーの上端部に、本体ケースの上面板に形成した複数の係合部に夫々係脱可能な複数の係合凸部を設けたことを特徴としている。
【００１１】
請求項３の小物収納ケースは、請求項１又は２の考案において、副背面板は、下端側へ行くほど後方へ移行するように緩傾斜状に形成されたことを特徴としている。
請求項４の小物収納ケースは、請求項１〜３の考案の何れかにおいて、主背面板の第１所定幅は副背面板の第２所定幅よりも大きく設定されたことを特徴としている。
【００１２】
請求項５の小物収納ケースは、請求項１〜４の考案の何れかにおいて、本体ケースは、底面板と左右の側面板と上面板と複数の棚板部と複数の主背面板と複数の副背面板とを一体成形した本体ケース成形体と、この本体ケース成形体の後面に複数のビスにより固定された後面板とで構成されたことを特徴としている。
【考案の効果】
【００１３】
請求項１の考案によれば、携帯電話用の携帯ストラップに取り付けられた種々の形状の小物を小物収納ケースに収納する場合、携帯ストラップを主背面板の上端と副背面板の下端の間の開口部から背面側収納空間に吊り下げた状態に収納でき、小物を棚板部に直立姿勢に載置できるので、小物を見栄えよく収納、陳列することができる。
【００１４】
本体ケースは後面板を有し、本体ケースの前面は前面カバーで覆われるので、棚板部に載置された小物への埃等の付着を確実に防止することができる。
携帯ストラップを背面側収納空間に収納できるので、複数の小物を陳列する際に邪魔になることがない。また、開口部の上下幅が零又は小さいため、主背面板の上端から背面側収納空間に収納される携帯ストラップが主背面板と副背面板とで隠されるので、外観の見栄えが損なわれることがない。
【００１５】
請求項２の考案によれば、前面カバーの下端部に、本体ケースの底面板に形成した複数の係合部に夫々係脱可能な複数の係合凸部を設け、前面カバーの上端部に、本体ケースの上面板に形成した複数の係合部に夫々係脱可能な複数の係合凸部を設けたので、前面カバーを本体ケースに容易に取付けることができるとともに、本体ケースから前面カバーを容易に取り外すことができる。
【００１６】
請求項３の考案によれば、副背面板は、下端側へ行くほど後方へ移行するように緩傾斜状に形成されたので、開口部の前後幅を確保することができ、小物付きの携帯ストラップを開口部から出し入れする場合に、携帯ストラップをスムーズに出し入れすることができる。
【００１７】
請求項４の考案によれば、主背面板の第１所定幅は副背面板の第２所定幅よりも大きく設定されたので、棚板部上に陳列した小物の背面の見栄えをよくすることができる。
【００１８】
請求項５の考案によれば、本体ケースは、底面板と左右の側面板と上面板と複数の棚板部と複数の主背面板と複数の副背面板とを一体成形した本体ケース成形体と、この本体ケース成形体の後面に複数のビスにより固定された後面板とで構成されたので、本体ケース成形体を成形する成形金型の構造を簡単にすることができ、金型製作費の面で有利になる。
【考案を実施するための最良の形態】
【００１９】
以下、本考案を実施するための最良の形態について実施例に基づいて説明する。
【実施例】
【００２０】
以下、本考案の実施例を図面に基づいて説明する。
図１〜図１５に示すように、複数の小物を収納する為の小物収納ケース１は、前面が開放状の矩形箱状の本体ケース２と、本体ケース２の前面を開放可能に覆う前面カバー３とを備えている。図１に示すように、この小物収納ケース１には、例えば、携帯電話用の携帯ストラップ８ａに取り付けられた指先程の大きさの小物８（人、動物の成形品など）が収納される。
【００２１】
図１〜図６に示すように、本体ケース２は、有色の合成樹脂材料（例えば、ＰＰ樹脂、ＡＢＳ樹脂等）で成形され、底面板４と、この底面板４の左右両端から上方へ所定高さ直角に立ち上がる左右１対の側面板５と、左右の側面板５の上端に亙るように上面に設けられた上面板６と、底面板４と側面板５と上面板６により形成される収納空間の後側に配設された後面板７と、収納空間に収納される複数の小物８を載置する為の複数段の棚板部９とを有する。
【００２２】
図１〜図４に示すように、底面板４は、前後方向に所定幅の２枚構造の横長矩形板状に形成されている。前端部には、前面カバー３の下端部に形成された複数の係合凸部１０と係脱可能な係合凹部１１が左右方向に４箇所設けられている。
図３、図４に示すように、左右の側面板５は、縦長で且つ前後方向に所定幅を有し、前端が下端側へ行くほど前方へ移行するように緩傾斜状に形成されている。
【００２３】
図２〜図４に示すように、上面板６は、底面板４よりも前後方向の幅が小さく且つ左右方向の幅が底面板４と同じ大きさに形成されている。
【００２４】
図５、図６に示すように、上面板６は、第１上面部６ｂと第２上面部６ｃとを備えている。図５に示すように、第２上面部６ｃは、第１上面部６ｂの前端部から下方にクランク状に段落ち形成され、この第２上面部６ｃは小さな前後幅を有し且つ左右方向に延設されている。
【００２５】
図１、図６に示すように、第１上面部６ｂには、前面カバー３の係合凸部１２と係合する係合部１３が左右に２箇所設けられている。これら複数の係合部１３は、第１上面部６ｂの前端近傍部から下方に突出状に形成されている。係合部１３に対応する部位において第１上面部６ｂは第２上面部６ｃの前後幅分前方へ延設されている。
【００２６】
図１、図２、図４に示すように、複数の棚板部９は、夫々、前後方向に所定幅有する横長矩形状に形成されている。棚板部９の小物８を載置する載置面は水平に形成されている。棚板部９は、本体ケース２内において上下方向に所定間隔おきに複数段（本実施例では４枚）設けられ、これら複数の棚板部９は、上方の棚板部９ほど棚板部９の前端及び後端が後方へ後退した段付き状に配設されている。各棚板部９の左右両端は、側面板５に固着されている。
【００２７】
図４に示すように、各棚板部９の後端には、後端から上方へ第１所定幅だけ直角に立ち上がる横長矩形状の主背面板１５と、後端から下方へ第２所定幅だけ立ち下がる横長矩形状の副背面板１６とが、夫々、左右方向に延設されている。尚、底面板４にも主背面板１５が設けられている。主背面板１５は、棚板部９に直立状態で載置される小物８の背もたれ部としての機能を有し、主背面板１５の第１所定幅（上下幅）は、副背面板１６の第２所定幅（上下幅）よりも幾分大きく設定されている。副背面板１６は、棚板部９の後端から下端側へ行くほど後方へ移行するように所定角度（例えば、約１５〜２０度）傾斜した緩傾斜状に形成されている。
【００２８】
主背面板１５の上端と、この主背面板１５に上方から対向する副背面板１６の下端との間には、上下幅が零又は小さく且つ所定の前後幅（例えば、３ｍｍ〜５ｍｍ）を有する横長矩形のスリット状の開口部１７が設けられている。例えば、商品名やロゴが記載されたタグ８ｂ付きの携帯電話用の携帯ストラップ８ａに取り付けられた小物８が収納ケース１に収納される場合、携帯ストラップ８ａやタグ８ｂは、主背面板１５の上端から開口部１７を挿通して後側の背面側収納空間２１に収納される。
【００２９】
図７、図８に示すように、後面板７は、本体ケース２内の収納空間の後端側を覆う大きさに正面視にて横長矩形状に形成されている。後面板７の四隅にはビス挿通穴７ａが形成されている。
【００３０】
ここで、図４、図９に示すように、本体ケース２は、前記の底面板４と左右の側面板５と上面板６と補強リブ１４と複数の棚板部９と複数の主背面板１５と複数の副背面板１６とを一体成形した本体ケース成形体１８と、この本体成形体１８に複数のビス２０により固定された後面板７とで構成されている。後面板７は、本体ケース成形体１８とは別個に成形される。
【００３１】
図９に示すように、本体ケース成形体１８の後面の四隅近傍部位にはボス部１９が形成されている。このボス部１９にはビス挿入穴が形成されている。本体ケース成形体１８の後面に後面板７を固定する場合、後面板７のビス挿通穴７ａに挿通された固定用ビス（タッピングネジ）２０のネジ部を本体ケース成形体１８のボス部１９のビス挿入穴に螺合させることにより、後面板７が本体ケース成形体１８の後面に締結固定される。
【００３２】
複数の棚板部９の後端部と後面板７の間には、前後幅のある縦長の背面側収納空間２１が形成されている。背面側収納空間２１の前後幅は、下方に行く程段階的に大きくなっている。例えば、本体ケース２において、タグ８ｂ付きの携帯電話用の携帯ストラップ８ａに取り付けられた小物８を棚板部９に載置する場合、携帯ストラップ８ａやタグ８ｂは、主背面板１５の上端から開口部１７を挿通して背面側収納空間２１に収納される。
【００３３】
前記背面側収納空間２１の左右方向の中間位置には、底面板４の上面から上面板６の裏面に連なり且つ複数の主背面板１５と複数の副背面板１６の後面に連なる補強リブ１４が一体形成されている。尚、この補強リブ１４は、本体ケース成形体１８に含まれるものである。図１０、図１１に示すように、前面カバー３は、無色透明の合成樹脂材料（例えば、スチレン樹脂等）で正面視にて横長矩形状に形成されている。前面カバー３は、下端側へ行くほど前方へ移行するように緩傾斜状に形成されている。
【００３４】
前面カバー３は、カバー本体部３ａから後方側へ直角に立ち上がる狭い幅の上端部と下端部を備えている。下端部には、底面板４の複数の係合凹部１１と係脱可能な４つの係合凸部１０が下方へ突出状に一体形成されている。
【００３５】
図１２に示すように、カバー本体部３ａの上端部には、上面板６の第２上面部６ｃの上に重なる水平板部３ｂが左右に延びる帯状に形成されている。カバー本体部３ａの上端近傍部位には、上面板６の係合部１３と係脱可能な係合凸部１２が後方へ突出状に一体成形されている。この係合凸部１２は、カバー本体部３ａの上端部の左右の２箇所設けられている。
【００３６】
図１２〜図１４に示すように、前面カバー３を本体ケース２の前面に取り付ける場合、前面カバー３の下端部の係合凸部１０を底面板４の係合凹部１１に係合させ、前面カバー３を直立姿勢にする。次に、前面カバー３を後方に向けて倒すことにより、カバー本体部３ａの左右両端の後面を各棚板部９の前端部の左右両端に形成された係止部９ａに当接させ、水平板部３ｂを上面板６の第２上面部６ｃの上に重ねつつ、係合凸部１２を上面板６の係合部１３に係止させることにより、図１５に示すように、前面カバー３が本体ケース２の前面に取り外し可能に固定される。
【００３７】
本体ケース２の前面から前面カバー３を取り外す場合、上面板６の前端部の中央に形成された舌片形状の切欠き部６ａ（図２参照）に指を掛けて前面カバー３を前方に向けて押すことにより、前面カバー３を本体ケース２から取り外すことができる。  
【００３８】
以上説明した実施例の小物収納ケース１の作用効果について説明する。
タグ８ｂ付きの携帯電話用の携帯ストラップ８ａに取り付けられた種々の形状の小物８が小物収納ケース１に収納される場合、携帯ストラップ８ａを主背面板１５の上端から開口部１７に挿通させて吊り下げた状態にして背面側収納空間２１に収納し、小物８が主背面板１５にもたれた状態で縦向き姿勢で棚板部９に載置されるので、種々の形状の複数の小物を見栄え良く陳列して収納することができる。
【００３９】
本体ケース２は後面板７を有し、本体ケース２の前面は前面カバー３で覆われるので、棚板部９に載置された小物８への埃等が付着することがない。
携帯ストラップ８ａやタグ８ｂを背面側収納空間２１に収納できるので、複数の小物を陳列する際に邪魔になることがない。また、主背面板１５と副背面板１６により、主背面板１５の上端から背面側収納空間２１に収納された携帯ストラップ８ａやタグ８ｂが隠れるので、外観の見栄えが損なわれることがない。
【００４０】
携帯ストラップ８ａやタグ８ｂを背面側収納空間２１に収納できるので、複数の小物８を陳列する際に邪魔になることがなく、整然と陳列することができる。また、開口部１７の上下幅が零又は小さいため、主背面板１５の上端から背面側収納空間２１に収納される携帯ストラップ８ａやタグ８ｂが主背面板１５と副背面板１６とで隠されるので、外観の見栄えが損なわれることがない。主背面板１５の第１所定幅は副背面板１６の第２所定幅よりも大きく設定されたので、棚板部９上に陳列した複数の小物８の背面を見栄えよくすることができる。
【００４１】
前面カバー３の下端部に、本体ケース２の底面板４に形成した複数の係合凹部１１に夫々係脱可能な複数の係合凸部１０を設け、前面カバー３の上端部に、本体ケース２の上面板６に形成した複数の係合部１３に夫々係脱可能な複数の係合凸部１２を設けたので、前面カバー３を本体ケース２に容易に取付けることができるとともに、本体ケース２から前面カバー３を容易に取り外すことができる。
【００４２】
副背面板１６は、下端側へ行くほど後方へ移行するように緩傾斜状に形成されたので、背面側収納空間２１から携帯ストラップ８ａやタグ８ｂをスムーズに出し入れすることができる。複数の棚板部９は、上方のものほど少しずつ後方へ後退しているため、全体として立体的な陳列となり、外観に優れる。
【００４３】
前記実施例を部分的に変更する例について説明する。
１］実施例では本体ケース２の外形を矩形の箱状に成形したが、円筒形状に成形してもよく多角形状に形成してもよい。
２］主背面板１５の上端に、先端が丸みを帯びた逆山形形状の切欠部を形成してもよい。この場合、携帯ストラップ８ａがその切欠部に固定されるので、携帯ストラップ８ａの落ち着きがよくなる。
【００４４】
３］実施例では、タグ８ｂ付きの携帯電話用の携帯ストラップ８ａに取り付けられた小物８を収納する例について説明したが、その他、キーホルダーに取り付けられた種々の形状の小物や、漫画やアニメーションの登場人物、怪獣、鳥、動物等を模した指先程度の大きさの形状物、所謂フィギアを収納してもよい。これらの小物も、収納ケース１に縦向き姿勢で棚板部９に載置できる。尚、携帯ストラップ等が取り付けられていない小物単独で陳列してもよい。
【００４５】
４］小物収納ケース１を建物の壁に配設されたフック等に取付けるために、後面板７の所定位置に引っ掛け用の穴を設けてもよい。
５］その他、当業者であれば、本考案の趣旨を逸脱することなく、前記実施例に種々の変更を付加した形態が実施可能であり、本考案はそのような変更形態を包含するものである。
【図面の簡単な説明】
【００４６】
【図１】本考案の実施例の小物収納ケース（前面カバー未装着状態）の正面図である。
【図２】小物収納ケース（前面カバー未装着状態）の平面図である。
【図３】小物収納ケース（前面カバー未装着状態）の側面図である。
【図４】本体ケース成形体の縦断側面図である。
【図５】上面板（第１上面部と第２上面部）の要部拡大縦断側面図である。
【図６】上面板（第１上面部）の要部拡大縦断側面図である。
【図７】後面板の背面図である。
【図８】後面板の縦断面図である。
【図９】本体ケースの縦断側面図である。
【図１０】前面カバーの正面図である。
【図１１】前面カバーの側面図である。
【図１２】前面カバーの上端部と上面板の要部縦断側面図である。
【図１３】前面カバーの上端部と上面板の要部縦断側面図である。
【図１４】前面カバーと底面板の要部縦断側面図である。
【図１５】小物収納ケース（前面カバー装着状態）の縦断側面図である。
【符号の説明】
【００４７】
１    小物収納ケース
２    本体ケース
３    前面カバー
４    底面板
５    側面板
６    上面板
７    後面板
８    小物
９    棚板部
１０  係合凸部
１１  係合凹部
１２  係合凸部
１３  係合部
１５  主背面板
１６  副背面板
１７  開口部
１８  本体ケース成形体
２０  固定用ビス
２１  背面側収納空間
【図１】
0003148306.tif 000003
【図２】
0003148306.tif 000004
【図３】
0003148306.tif 000005
【図４】
0003148306.tif 000006
【図５】
0003148306.tif 000007
【図６】
0003148306.tif 000008
【図７】
0003148306.tif 000009
【図８】
0003148306.tif 000010
【図９】
0003148306.tif 000011
【図１０】
0003148306.tif 000012
【図１１】
0003148306.tif 000013
【図１２】
0003148306.tif 000014
【図１３】
0003148306.tif 000015
【図１４】
0003148306.tif 000016
【図１５】
0003148306.tif 000017